【事件の表示】
　特許第３０２０９５７号「画像処理方法」の請求項１に係る特許に対する特許異議の申立てについて、次のとおり決定する。
【結　論】
　訂正を認める。
　特許第３０２０９５７号の請求項１に係る特許を維持する。
【理　由】
１．手続の経緯
　特許第３０２０９５７号に係る発明についての出願は、昭和６３年１１月１８日の特許出願であって、平成１２年１月１４日にその発明について特許の設定登録がなされ、その後、その特許請求の範囲における請求項１に係る発明について異議申立人有限会社オフィスアテナより特許異議の申立てがなされ、取消理由通知がなされ、その指定期間内である平成１３年６月２５日に訂正請求がなされたものである。
　
２．訂正の適否について
（１）訂正の内容
　平成１３年６月２５日付けの訂正請求書による訂正事項は、
　ア．特許請求の範囲における請求項１の
　「電子カメラ等によって撮像されたスチル画像データが複数記録された記録媒体からスチル画像データを読み出し、
　当該読み出されたスチル画像データを、Ｒ,Ｇ,Ｂ色空間で表現されたデジタル画像データに変換し、
　当該変換されたデジタル画像データによって表される画像を縮小するために、当該デジタル画像データに対して縮小処理し、
　当該縮小処理されたデジタル画像データを複数同時に表示部に表示し、当該表示部によって表示された複数の画像から所望する画像を指定すると共に、画像形成時のレイアウトを指定し、
　当該指定された画像に対応するスチル画像データを前記記録媒体から再度読み出し、
　当該読み出されたスチル画像データを、Ｒ,Ｇ,Ｂ色空間で表現されたデジタル画像データに変換し、
　当該変換されたデジタル画像データを当該指定されたレイアウトに処理して画像形成部に供給することを特徴とする画像処理方法。」
を、特許請求の範囲の減縮を目的として、
　「電子カメラ等によって撮像されたスチル画像データが複数記録された記録煤体からスチル画像データを順次読み出し、
　当該読み出されたスチル画像データを、Ｒ,Ｇ,Ｂ色空間で表現されたデジタル画像データに変換し、
　当該変換されたデジタル画像データによって表される画像を縮小するために、当該デジタル画像データに対して縮小処理し、
　当該縮小処理されたデジタル画像データを複数同時に表示部に表示し、当該表示部によって表示された複数の画像から所望する画像を指定すると共に、画像形成時のレイアウトを指定し、
　当該指定された画像に対応するスチル画像データを前記記録媒体から再度読み出し、
　当該読み出されたスチル画像データを、Ｒ,Ｇ,Ｂ色空間で表現されたデジタル画像データに変換し、
　当該変換されたデジタル画像データを当該指定されたレイアウトに処理して画像形成部に供給することを特徴とする画像処理方法。」
と訂正し、
イ．明細書第３頁第５〜１８行の
　「〔問題を解決するための手段(及び作用〕本発明は前述の課題を解決することを目的として成されたもので、前述の課題を解決するために以下の構成を備える。
　電子カメラ等によって撮像されたスチル画像データが複数記録された記録媒体からスチル画像データを読み出し、当該読み出されたスチル画像データを、Ｒ,Ｇ,Ｂ色空間で表現されたデジタル画像データに変換し、当該変換されたデジタル画像データによって表される画像を縮小するために、当該デジタル画像データに対して縮小処理し、当該縮小処理されたデジタル画像データを複数同時に表示部に表示し、当該表示部によって表示された複数の画像から所望する画像を指定すると共に、画像形成時のレイアウトを指定し、当該指定された画像に対応するスチル画像データを前記記録媒体から再度読み出し、当該読み出されたスチル画像データを、Ｒ,Ｇ,Ｂ色空間で表現されたデジタル画像データに変換し、当該変換されたデジタル画像データを当該指定されたレイアウトに処理して画像形成部に供給することを特徴とする画像処理方法。」
を、上記特許請求の範囲の訂正に伴い、特許請求の範囲と発明の詳細な説明の記載との整合を図るために、明瞭でない記載の釈明を目的として、
　「〔課題を解決するための手段〕本発明は前述の課題を解決することを目的として成されたもので、前述の課題を解決するために以下の構成を備える。
　電子カメラ等によって撮像されたスチル画像データが複数記録された記録媒体からスチル画像データを順次読み出し、当該読み出されたスチル画像データを、Ｒ,Ｇ,Ｂ色空間で表現されたデジタル画像データに変換し、当該変換されたデジタル画像データによって表される画像を縮小するために、当該デジタル画像データに対して縮小処理し、当該縮小処理されたデジタル画像データを複数同時に表示部に表示し、当該表示部によって表示された複数の画像から所望する画像を指定すると共に、画像形成時のレイアウトを指定し、当該指定された画像に対応するスチル画像データを前記記録媒体から再度読み出し、当該読み出されたスチル画像データを、Ｒ,Ｇ,Ｂ色空間で表現されたデジタル画像データに変換し、当該変換されたデジタル画像データを当該指定されたレイアウトに処理して画像形成部に供給することを特徴とする画像処理方法。」
と訂正し、
ウ．誤記の訂正のために、明瞭でない記載の釈明を目的として明細書第１２頁第９行の
　「ＥＮ信号」を「／ＥＮ信号」
と訂正し、
エ．誤記の訂正のために、明瞭でない記載の釈明を目的として明細書第５６頁第２行の
　「３…コントロールユニット」を「１３…コントロールユニット」
と訂正するものである。
　なお、訂正事項ウにおいて、印刷の都合上アッパーラインをスラッシュ記号で代用した。
　
（２）訂正の目的の適否、新規事項の有無及び拡張・変更の存否
　上記訂正事項アは、願書に添付した明細書に記載された事項の範囲内において訂正するものであり、特許請求の範囲の減縮に該当し、新規事項の追加に該当しない。
　上記訂正事項イ〜エは、誤記の訂正及び明瞭でない記載の釈明を目的として、願書に添付した明細書に記載された事項の範囲内のおいて訂正するものであり、特許請求の範囲の減縮に該当し、新規事項の追加に該当しない。
　そして、上記訂正は、実質上特許請求の範囲を拡張し、変更するものでもない。
　
（３）以上のとおりであるから、上記訂正は、特許法第１２０条の４第２項及び同第３項において準用する同法第１２６条第２項及び同第３項の規定に適合するので、当該訂正を認める。
　
３．特許異議の申立てについて
（１）申立の理由の概要
　異議申立人有限会社オフィスアテナは、証拠として
甲第１号証（特開昭６１−２０８５７７号公報）、甲第２号証（特開昭６２−９２６９４号公報）、及び甲第３号証（特開昭６２−７２０６８号公報）、を提出し、本件請求項１に係る発明は、甲第１号証乃至甲第３号証に記載された発明に基いて当業者が容易に発明をすることができたものであり、特許法第２９条第２項の規定により特許を受けることができないものであるから、本件請求項１に係る発明の特許を取消すべき旨主張している。
　
（２）本件発明
　平成１３年６月２５日付けで提出された訂正明細書の請求項１に係る発明は、その特許請求の範囲の請求項１に記載された次のとおりのものである。
　
【請求項１】電子カメラ等によって撮像されたスチル画像データが複数記録された記録煤体からスチル画像データを順次読み出し、
　当該読み出されたスチル画像データを、Ｒ,Ｇ,Ｂ色空間で表現されたデジタル画像データに変換し、
　当該変換されたデジタル画像データによって表される画像を縮小するために、当該デジタル画像データに対して縮小処理し、
　当該縮小処理されたデジタル画像データを複数同時に表示部に表示し、当該表示部によって表示された複数の画像から所望する画像を指定すると共に、画像形成時のレイアウトを指定し、
　当該指定された画像に対応するスチル画像データを前記記録媒体から再度読み出し、
　当該読み出されたスチル画像データを、Ｒ,Ｇ,Ｂ色空間で表現されたデジタル画像データに変換し、
　当該変換されたデジタル画像データを当該指定されたレイアウトに処理して画像形成部に供給することを特徴とする画像処理方法。
４．引用刊行物記載の発明
（１）当審が通知した取消理由に引用した刊行物１（特開昭６１−２０８５７７号公報）（甲第１号証）には、以下の事項が記載されている。
（ア）「以下、図面を用いて本発明の実施例を詳細に説明する。第１図は本発明の一実施例の要部構成を示すブロック図である。図において、１は原画像データが格納されている画像メモリである。原画像データは例えば図示しない撮像手段でもって得られた後、該画像メモリ１に書き込まれたものである。２は原画像データを縮小する画像縮小部で、画像メモリ１から読み出した原画像データを間引き或いは局所平均化により縮小し（即ち、この実施例の画像縮小部では縮小画像を得る）、得られた縮小データを画像処理部３に送出するものである。この画像処理部３は複数の画像処理を行えるもので、画像縮小部２から得られた縮小データに複数の画像処理を施したり、或いは画像メモリ１から直接画像データを読み出し、これに特定の画像処理を施すものである。ここで、複数の画像処理の内容としては、（１）画像データの持つ各画素の数値情報を一定の条件に従って変換するもの、（２）画像の特定の周波数成分の強調や低下若しくは削除、（３）いくつかの画像間の算術或いは論理演算、（４）画素の並べ換え、座標変換、特定成分の強調その他、等多くのものがある。この画像処理内容の内、どれを行うかは画像処理装置の用途等により異なるので、装置毎に必要な画像処理を定め、その処理機能を画像処理部３に持たせておく必要がある。前記複数の画像処理の“複数”とは、その装置が原画像データに対して施そうと用意してある画像処理の数（種類）が複数あるという意味である。（以下の説明では、この画像処理の数がA,B,C,Dの４つである場合を例にとる）。この画像処理部３にて得られた処理画像データは、画像メモリ１の他の記憶領域に格納される。４は画像処理部３で処理された画像メモリ１に格納された処理画像データを表示画面上に表示するもので、その表示形式として２種類がある。その１つは、画像縮小部２で得た縮小データを画像処理部３でA〜Dの画像処理を施した場合の処理画像データに対するもので、この場合には第２図に示すように、各画像処理A〜Dを施して得られた４つ処理画像１１〜１４を表示画面１５上に並べて表示する。」（第２頁左下欄第６行〜第３頁左上欄第６行）
　なお、印刷の都合上、丸数字は括弧付きの数字で置き換えた。
（イ）「５は原画像データにA〜Dの内のどの画像処理を施すかを指示する処理選択部で、具体的にはボックス型のカーソルを移動して第２図の処理画像１１〜１４の内の１つを撰ぶことにより行う。即ち、オペレータは処理画像１１〜１４を見比べてどの画像処理が最適かを判断し、最適と判断した処理画像のところにカーソル１７を移動して図示しない選択キーを押下する。これにより、A〜Dの内の何れかの画像処理（第２図の場合はA）が選択される。」（第３頁左上欄第１２行〜同頁右上欄第１行）
（ウ）「次に上記実施例の動作を説明する。まず原画像データは画像縮小部２によって縮小され、該縮小データが画像処理部３に取り込まれ、そこでA〜Dの各々の画像処理がなされる。このA〜Dの画像処理がなされた処理画像データは一度画像メモリ１に格納され、その後、画像表示部４に処理画像１１〜１４として表示される。オペレータは、この表示画像１１〜１４の内、どの画像処理が最適かを判断して、その処理画像の位置にカーソル１７を移動して画像処理の選択を行う。この選択信号は画像処理部３に送られ、画像処理部３は原画像データを画像メモリから読み出し、選択された画像処理を行い、得られた処理画像データを画像メモリ１に格納する。これにより、画像表示部４の表示画面１５には、第３図の如く、最適な画像処理がなされた処理画像が表示される。」（第３頁右上欄第５〜２０行）
（２）同じく、当審が通知した取消理由に引用した刊行物２（特開昭６２−９２６９４号公報）（甲第２号証）には、以下の事項が記載されている。
（ア）「本装置は、映像信号入力装置として磁気ディスク読取部１４を有する。これは、この磁気ディスク１０から映像信号を読み取って復調し、輝度信号Ｙ、ならびに色差信号Ｒ−ＹおよびＢ−Ｙと、同期(SYNC）信号とを分離する装置である。前者の信号は、ディジタル信号に変換されてそれぞれ信号線１６，１８および２０に出力され、また後者の信号は、信号線２２に出力される。色差信号は線順次の形をとってよい。磁気ディスク読取部１４の代わりに、またはこれに加えて、磁気テープ読取装置や通信回線からの受信装置などの他の映像信号入力装置を設けてもよい。輝度信号Ｙ、ならびに色差信号Ｒ−ＹおよびＢ−Ｙは、映像信号処理部２４に入力される。映像信号処理部２４は、所定の演算処理によって輝度信号Ｙおよび色差信号Ｒ−Ｙ、Ｂ−Ｙから３分解色信号を形成し、さらに色強調処理およびシャープネス処理などの必要な映像信号処理を施し、信号線２６，２８および３０にそれぞれ３分解色信号Ｒ、ＧおよびＢを出力する回路である。これらの３分解色信号は記憶部３２へ出力される。記憶部３２は、全体制御部３４によってその書込みおよび読出しクロックが切り換えられ、それぞれ１フレーム分の映像信号データが蓄積されるＲＡＭからなる２つの記憶ユニットを有するフレームメモリである。この２つの記憶ユニットは、制御部３４の制御によっていずれか一方に選択的に映像信号データが書き込まれる。記憶部３２の記憶位置のアドレスは入力同期部３６および出力同期部３８によってそれぞれ制御線４０および４２を通して制御される。また書込みか読出しかの制御を含むメモリ制御信号は、全体制御部３４から信号線４４を通して供給される。記憶部３２のアドレス歩進クロックは、書込みの場合入力同期部３６から、また読出しの場合出力同期部３８から制御部３４の制御により供給される。読取部１４から分離された同期信号ＳＹＮＣは、入力同期部３６に入力される。同期部３６は、同期信号ＳＹＮＣから画素クロックＰＣＬＫ、水平同期信号ＨＳＹＮＣおよび垂直同期信号ＶＳＹＮＣなどの同期信号を作成して出力４０にこれを出力する位相同期ループを有し、磁気ディスク１０から映像信号を読み出すための読取り系の同期制御を行う回路である。出力４０の同期信号は、映像信号処理部２４および記憶部３２に供給される。記憶部３２の読出し出力側からは、全体制御部３４の制御により２つの記憶ユニットから選択的に映像信号データＲ、ＧおよびＢが補正部４６の入力８０，８２および８４にそれぞれ入力される。全体制御部３４は、制御線５０を通して読取部１４および入力同期部３６を、制御線５２を通して補正部４６および出力同期部３８をそれぞれ制御する。補正部４６は、再生画像の色バランス、白バランスの調整、画像記録媒体１２としての印画紙の陰画感光特性とその階調に合わせるための階調、濃度の調整、ネガ・ポジ（Ｎ／Ｐ）反転などの様々な画像処理、および走査線補間を行う回路である。この画像処理は、操作表示部５４から入力された画像処理コマンドが全体制御部３４で解読され、これに応じた画像処理条件を含む制御信号が制御入力５２に与えられ、これに従って映像信号データＲ、ＧおよびＢに対して行われる。この画像処理条件は、操作表���部５４の操作により画像のコマ毎に設定可能である。補正部４６は２つの映像信号出力５６および５８を有し、出力５６は映像モニタ装置６０に接続され、また出力５８は記録部６２に接続されている。補正部４８は、画像処理の済んだ映像信号データをアナログ信号に変換して出力５６または５８に選択的に出力する。この選択的出力は、全体制御部３４から制御される。映像信号の画像を映像モニタ装置６０に再生するときは、通常の飛越し走査方式にて記憶部３２から映像信号が読み出され、階調補正などの必要な補正が行われて出力５８に出力される。また記録部６２に再生するときは、非飛越し走査方式にて記憶部３２から映像信号が読み出され、階調補正やＮ／Ｐ反転、走査線補間などの必要な処理が行われて出力される。」（第３頁右下欄第３行〜第４頁左下欄第２０行）
　
（３）同じく、当審が通知した取消理由に引用した刊行物３（特開昭６２−７２０６８号公報）（甲第３号証）には、以下の事項が記載されている。
（ア）「ところで従来の画像記録再生装置は、ディジタルデータ化された画像（これを画像データという）が入力されると、」（第１頁右下欄第２０行〜第２頁左上欄第２行）
（イ）「さらに処理装置２は、前記原画像データファイルの作成及び原画像のファイリングと並行して、又は別個に入力装置１ａからの原画像データの縮小画像データを演算により編集作成すると共にそのデータファイル（縮小画像データファイル）を作成し、これに上記縮小画像データをファイルする。」（第３頁左上欄第１４〜２０行）
（ウ）「以上の手順が原画像データが入力される度に繰り返されるもので（第２図参照）、これによって記憶装置３に多数の患者登録情報、原画像及び縮小画像の各データがファイリングされたデータファイルが記憶されることになる。次に記憶装置３から所望のデータを検索し、再生表示する手順について述べる。まずコンソール５から再生表示したい画像を識別する情報、通常は患者登録情報を指定する。この指定は次の４通りに大別される。（１）指定した患者登録情報から特定の１つの画像の表示に限定できる場合…例えば、１つの画像データを識別するための全患者登録情報、すなわち画像の種類＝フィルム、患者氏名＝日立太郎、撮影年月日＝１９８５年３月１日、撮影部位＝食道、撮影方法＝第１斜位など、患者登録情報の全ての項目をもうらして指定する場合
（２）１つの画像の表示に限定できる指定における１つの項目を複数指定する場合…例えば上記（１）の例において、撮影年月日の項目を、１９８５年３月１日、３月５日、４月１０日、５月３日とし、他の項目は同様にして指定する場合
（３）指定した患者登録情報から１つの画像の表示に限定できない場合…例えば１つの画像データを識別するための全患者登録情報（全項目）が（１）の例のように５つあるにもかかわらず、画像の種類＝フィルム、患者氏名＝日立太郎、撮影年月日＝１９８５年３月１日のみ指定する場合
（４）１つの画像の表示に限定できない指定における１つの項目を複数指定する場合…例えば上記（３）の例において、撮影年月日の項目を、１９８５年３月１日、３月５日、４月１０日、５月３日とし、他の項目は同様にして指定する場合
　上述のように患者登録情報を指定すると、表示装置４には例えば第３図に示すようにｍ×ｎ以内の大きさの縮小画像（可視像として表示された縮小画像データ）２１が複数並置表示される。」（第３頁右上欄第７行〜同頁右下欄第３行）
　なお、印刷の都合上、丸数字を括弧付きの数字で置き換えた。
（エ）「さらに縮小画像２１では診断しにくい場合、上記ライトペン６で診断したい縮小画像２１の画像識別記号欄１０とオペレーション表示部１３の原画像表示欄を指示することにより、高画質の原画像２２を記憶装置３から呼び出して第４図に示すように表示装置４でその画面のほぼ前面にわたって表示する。複数の縮小画面２１を指定した場合には、公知の手段を用いて原画像２２を上記縮小画像２１よりは大きな画像となるように若干縮小し一画面中に並置表示することも可能である。」（第４頁右上欄第１〜１０行）
　
５．対比・判断
　請求項１に係る発明と刊行物１乃至３に記載された発明とを対比すると、
　刊行物１乃至３に記載された発明はいずれも、請求項１に記載された発明の要件である「電子カメラ等によって撮像されたスチル画像データが複数記録された記録煤体からスチル画像データを順次読み出し」、及び「表示部によって表示された複数の画像から所望する画像を指定すると共に、画像形成時のレイアウトを指定し、当該指定された画像に対応するスチル画像データを前記記録媒体から再度読み出し、当該読み出されたスチル画像データを、Ｒ,Ｇ,Ｂ色空間で表現されたデジタル画像データに変換し、当該変換されたデジタル画像データを当該指定されたレイアウトに処理して画像形成部に供給する」ことについて開示も示唆もしない。
　そして、請求項１に係る発明は、上記要件を有することにより、明細書記載の効果を奏するものであるから、請求項１に係る発明は、刊行物１乃至３に記載された発明であるとも、刊行物１乃至３に記載された発明に基いて当業者が容易に発明をすることができた発明であるともいえない。
　
６．むすび
　以上のとおりであるから、特許異議申立の理由及び証拠によっては、本件請求項１に係る発明の特許を取り消すことができない。
　また、他に本件請求項１に係る発明の特許を取り消すべき理由を発見しない。
　よって、結論のとおり審決する。
【異議決定日】
平成１３年１１月６日（２００１．１１．６）
【訂正の要旨】
　訂正の要旨
▲１▼訂正事項ａ
特許請求の範囲の請求項１に係る記載
　「電子カメラ等によって撮像されたスチル画像データが複数記録された記録媒体からスチル画像データを読み出し、
　当該読み出されたスチル画像データを、Ｒ，Ｇ，Ｂ色空間で表現されたデジタル画像データに変換し、
　当該変換されたデジタル画像データによって表される画像を縮小するために、当該デジタル画像データに対して縮小処理し、
　当該縮小処理されたデジタル画像データを複数同時に表示部に表示し、当該表示部によって表示された複数の画像から所望する画像を指定すると共に、画像形成時のレイアウトを指定し、
　当該指定された画像に対応するスチル画像データを前記記録媒体から再度読み出し、
　当該読み出されたスチル画像データを、Ｒ，Ｇ，Ｂ色空間で表現されたデジタル画像データに変換し、
　当該変換されたデジタル画像データを当該指定されたレイアウトに処理して画像形成部に供給することを特徴とする画像処理方法。」
を、特許請求の範囲の減縮を目的として
　「電子カメラ等によって撮像されたスチル画像データが複数記録された記録煤体からスチル画像データを順次読み出し、
　当該読み出されたスチル画像データを、Ｒ，Ｇ，Ｂ色空間で表現されたデジタル画像データに変換し、
　当該変換されたデジタル画像データによって表される画像を縮小するために、当該デジタル画像データに対して縮小処理し、
　当該縮小処理されたデジタル画像データを複数同時に表示部に表示し、当該表示部によって表示された複数の画像から所望する画像を指定すると共に、画像形成時のレイアウトを指定し、
　当該指定された画像に対応するスチル画像データを前記記録媒体から再度読み出し、
　当該読み出されたスチル画像データを、Ｒ，Ｇ，Ｂ色空間で表現されたデジタル画像データに変換し、
　当該変換されたデジタル画像データを当該指定されたレイアウトに処理して画像形成部に供給することを特徴とする画像処理方法。」
と訂正する。
▲２▼訂正事項ｂ
　上記特許請求の範囲の訂正に伴い、特許請求の範囲と発明の詳細な説明の記載との整合を図るために、明瞭でない記載の釈明を目的として明細書第３頁第５〜１８行
　「〔問題を解決するための手段（及び作用〕本発明は前述の課題を解決することを目的として成されたもので、前述の課題を解決するために以下の構成を備える。
　電子カメラ等によって撮像されたスチル画像データが複数記録された記録媒体からスチル画像データを読み出し、当該読み出されたスチル画像データを、Ｒ，Ｇ，Ｂ色空間で表現されたデジタル画像データに変換し、当該変換されたデジタル画像データによって表される画像を縮小するために、当該デジタル画像データに対して縮小処理し、当該縮小処理されたデジタル画像データを複数同時に表示部に表示し、当該表示部によって表示された複数の画像から所望する画像を指定すると共に、画像形成時のレイアウトを指定し、当該指定された画像に対応する一ヘスチル画像データを前記記録媒体から再度読み出し、当該読み出されたスチル画像データを、Ｒ，Ｇ，Ｂ色空間で表現されたデジタル画像データに変換し、当該変換されたデジタル画像データを当該指定されたレイアウトに処理して画像形成部に供給することを特徴とする画像処理方法。」
の記載を、
　「〔課題を解決するための手段〕本発明は前述の課題を解決することを目的として成されたもので、前述の課題を解決するために以下の構成を備える。
　電子カメラ等によって撮像されたスチル画像データが複数記録された記録媒体からスチル画像データを順次読み出し、当該読み出されたスチル画像データを、Ｒ，Ｇ，Ｂ色空間で表現されたデジタル画像データに変換し、当該変換されたデジタル画像データによって表される画像を縮小するために、当該デジタル画像データに対して縮小処理し、当該縮小処理されたデジタル画像データを複数同時に表示部に表示し、当該表示部によって表示された複数の画像から所望する画像を指定すると共に、画像形成時のレイアウトを指定し、当該指定された画像に対応するスチル画像データを前記記録媒体から再度読み出し、当該読み出されたスチル画像データを、Ｒ，Ｇ，Ｂ色空間で表現されたデジタル画像データに変換し、当該変換されたデジタル画像データを当該指定されたレイアウトに処理して画像形成部に供給することを特徴とする画像処理方法。」
と訂正する。
▲３▼訂正事項ｃ
　誤記の訂正のために、明瞭でない記載の釈明を目的として明細書第１２頁第９行の
　「ＥＮ信号」を「ＥＮ信号」と訂正する。
▲４▼訂正事項ｄ
　誤記の訂正のために、明瞭でない記載の釈明を目的として明細書第５６頁第２行の
　「３…コントロールユニット」を「１３…コントロールユニット」と訂正する。
（５４）【発明の名称】
画像処理方法
（５７）【特許請求の範囲】
　電子カメラ等によって撮像されたスチル画像データが複数記録された記録媒体からスチル画像データを順次読み出し、
　当該読み出されたスチル画像データを、Ｒ，Ｇ，Ｂ色空間で表現されたデジタル画像データに変換し、
　当該変換されたデジタル画像データによって表される画像を縮小するために、当該デジタル画像データに対して縮小処理し、
　当該縮小処理されたデジタル画像データを複数同時に表示部に表示し、
　当該表示部によって表示された複数の画像から所望する画像を指定すると共に、画像形成時のレイアウトを指定し、
　当該指定された画像に対応するスチル画像データを前記記録媒体から再度読み出し、
　当該読み出されたスチル画像データを、Ｒ，Ｇ，Ｂ色空間で表現されたデジタル画像データに変換し、
　当該変換されたデジタル画像データを当該指定されたレイアウトに処理して画像形成部に供給することを特徴とする画像処理方法。
【発明の詳細な説明】
〔産業上の利用分野〕
　本発明は、スチル画像データが記録された記録媒体からスチル画像データを読み出し、画像形成するための画像処理方法に関する。
〔従来の技術〕
　最近、入力されるカラー画像情報を、一旦半導体メモリなどの記憶手段に記憶させ、その後にこの記憶画像情報を読出して画像形成し、表示出力または印刷出力等をする装置としてデジタルテレビ，ビデオプリンタ等が登場して来ている。
　しかし、これらの装置では、単にテレビジヨン用の映像信号を出力するのみであり、その映像信号の画像ソースの大きさも、また、出力する出力媒体への大きさや出力位置も一義的に決まっており、単に入力画像データの１つを一定の大きさで一定の位置に表示出力またはハードプリントさせるのみで、その機能は限られたものであった。
〔発明が解決しようとしている課題〕
　近年は、テレビジヨン受像機等の画像処理装置に表示または出力するのはこれらの映像信号だけではなく、ＳＶ録再生機等からの、または、パーソナルコンピユータ，ワークステーシヨン，カラースキヤナ等からの画像を出力させるものも必要となってきている。
　しかし、ＳＶ録再生機やコンピユータ等に記憶されている画像は複数の画像データであり、それらの複数の画像データの中から所望する画像データを簡単に選択し、出力用紙の任意の位置または固定位置にレイアウトして出力できないという欠点があった。
〔課題を解決するための手段〕
　本発明は前述の課題を解決することを目的として成されたもので、前述の課題を解決するために以下の構成を備える。
　電子カメラ等によって撮像されたスチル画像データが複数記録された記録媒体からスチル画像データを順次読み出し、当該読み出されたスチル画像データを、Ｒ，Ｇ，Ｂ色空間で表現されたデジタル画像データに変換し、当該変換されたデジタル画像データによって表される画像を縮小するために、当該デジタル画像データに対して縮小処理し、当該縮小処理されたデジタル画像データを複数同時に表示部に表示し、当該表示部によって表示された複数の画像から所望する画像を指定すると共に、画像形成時のレイアウトを指定し、当該指定された画像に対応するスチル画像データを前記記録媒体から再度読み出し、当該読み出されたスチル画像データを、Ｒ，Ｇ，Ｂ色空間で表現されたデジタル画像データに変換し、当該変換されたデジタル画像データを当該指定されたレイアウトに処理して画像形成部に供給することを特徴とする画像処理方法。
〔実施例〕
　以下、図面を参照して本発明に係る一実施例を詳細に説明する。
［実施例１］
　第１図は本発明に係る一実施例のカラー画像形成システムの概略内部構成の一例を示すシステム構成図であり、本実施例システムは第１図図示のように上部にデジタルカラー画像を読取るデジタルカラー画像読取り装置（以下「カラーリーダ」と称する）１と、下部にデジタルカラー画像を印刷出力するデジタルカラー画像プリント装置（以下「カラープリンタ」と称する）２、画像記憶装置３とＳＶ録再生機３１，モニタテレビ３２，およびホストコンピユータ３３より構成される。
　本実施例のカラーリーダ１は、後述する色分解手段と、ＣＣＤ等で構成される光電変換素子とにより、読取り原稿のカラー画像情報をカラー別に読取り、電気的なデジタル画像信号に変換する装置である。
　また、カラープリンタ２は、出力すべきデジタル画像信号に応じてカラー画像をカラー別に制限し、被記録紙にデジタル的なドツト形態で複数回転写して記録する電子写真方式のレーザビームカラープリンタである。
　画像記憶装置３は、カラーリーダ１からの読取りデジタル画像やＳＶ録再生機３１からのアナログビデオ信号を量子化し、デジタル画像に変換したのち記憶する装置である。
　ＳＶ録再生機３１は、ＳＶカメラで撮影し、ＳＶフロツピーに記録された画像情報を再生し、アナログビデオ信号として出力する装置である。またＳＶ録再生機３１は、上記の他にアナログビデオ信号を入力することにより、ＳＶフロツピーに記録することも可能である。
　モニタテレビ３２は、画像記憶装置３に記憶している画像の表示やＳＶ録再生機３１から出力されているアナログビデオ信号の内容を表示する装置である。
　ホストコンピユータ３３は画像記憶装置３へ画像情報を伝送したり、画像記憶装置３に記憶されているカラーリーダ１やＳＶ録再生機の画像情報を受け取る機能を有する。また、カラーリーダ１やカラープリンタ２などの制御も行う。
　以下各部分毎にその詳細を説明する。
＜カラーリーダ１の説明＞
　まず、カラーリーダ１の構成を説明する。
　第１図のカラーリーダ１において、９９９は原稿、４は原稿を載置するプラテンガラス、５はハロゲン露光ランプ１０により露光走査された原稿からの反射光像を集光し、等倍型フルカラーセンサ６に画像入力する為のロツドアレイレンズである。ロツドアレイレンズ５、等倍型フルカラーセンサ６、センサ出力信号増巾回路７、ハロゲン露光ランプ１０が一体となって原稿走査ユニツト１１を構成し、原稿９９９を矢印（Ａ１）方向に露光走査する。原稿９９９の読取るべき画像情報は、原稿走査ユニツト１１を露光走査することにより１ライン毎に順次読取られる。読取られた色分解画像信号は、センサ出力信号増巾回路７により所定電圧に増巾されたのち、信号線５０１によりビデオ処理ユニツトに入力され、ここで信号処理される。なお、信号線５０１は信号の忠実な伝送を保証するために同軸ケーブル構成となっている。信号５０２は等倍型フルカラーセンサ６の駆動パルスを供給する信号線であり、必要な駆動パルスはビデオ処理ユニツト１２内で全て生成される。８，９は画像信号の白レベル補正、黒レベル補正のための白色板及び黒色板であり、ハロゲン露光ランプ１０で照射する事によりそれぞれ所定の濃度の信号レベルを得る事ができ、ビデオ信号の白レベル補正、黒レベル補正に使われる。
　１３はマイクロコンピユータを有する本実施例のカラーリーダ１全体の制御を司るコントロールユニツトであり、バス５０８を介して走査パルス２０における表示、キー入力の制御、及びビデオ処理ユニツト１２の制御等を行う。また、ポジシヨンセンサＳ１，Ｓ２により信号線５０９，５１０を介して原稿走査ユニツト１１の位置を検出する。
　更に、信号線５０３により走査体１１を移動させる為のステツピングモータ１４をパルス駆動するステツピングモータ駆動回路１５を、信号線５０４を介して露光ランプドライバ２１によりハロゲン露光ランプ１０のＯＮ／ＯＦＦ制御、光量制御、信号線５０５を介してのデジタイザ１６及び内部キー、表示部の制御等のカラーリーダ部１の全ての制御を行っている。
　原稿露光走査時に前述した露光走査ユニツト１１によって読取られたカラー画像信号は、センサ出力信号増巾回路７、信号線５０１を介してビデオ処理ユニツト１２に入力される。
　次に第２図を用いて上述した原稿走査ユニツト１１、ビデオ処理ユニツト１２の詳細について説明する。
　ビデオ処理ユニツト１２に入力されたカラー画像信号は、サンプルホールド回路Ｓ／Ｈ４３により、Ｇ（グリーン）、Ｂ（ブルー）、Ｒ（レッド）の３色に分離される。分離された各カラー画像信号は、アナログカラー信号処理回路４４においてアナログ処理を行った後Ａ／Ｄ変換され、デジタル・カラー画像信号となる。
　本実施例では原稿走査ユニット１１内のカラー読取りセンサ６は、第２図にも示す様に５領域に分割した千鳥状に構成されている。このカラー読取りセンサ６とＦＩＦＯメモリ４６を用い、先行走査している２，４チヤンネルと、残る１，３，５チヤンネルの読取り位置ずれを補正している。ＦＩＦＯメモリ４６からの位置ずれの補正済の信号は、黒補正回路／白補正回路に入力され、前述した白色板８、黒色板９からの反射光に応じた信号を利用してカラー読取りセンサ６の暗時ムラや、ハロゲン露光ランプ１０の光量ムラ、センサの感度バラツキ等が補正される。
　カラー読取りセンサ６の入力光量に比例したカラー画像データはビデオインターフエイス１０１に入力され、画像記憶装置３と接続される。
　このビデオインターフエイス１０１は、第３図〜第６図に示す各機能を備えている。即ち、
（１）黒補正／白補正回路からの信号５５９を画像記憶装置３に出力する機能（第３図）、
（２）画像記憶装置３からの画像情報を対数変換回路８６に入力する機能（第４図）、
（３）プリンターインターフエイス５６からの画像情報を画像記憶装置３に出力する機能（第５図）、
（４）黒補正／白補正回路からの信号５５９を、対数変換回路８６に送る機能（第６図）、
の４つの機能を有する。この４つの機能の選択はＣＰＵ制御ライン５０８によって第３図〜第６図に示す様に切換わる。
＜画像記憶部３の説明＞
　次に、本実施例におけるカラーリーダ１での読取り（取り込み）制御、及び読取られた画像情報の画像記憶装置３への記憶制御について説明する。
　カラーリーダ１による読取りの設定は、以下に述べるデジタイザにより行われる。このデジタイザ１６の外観図を第７図に示す。
　第７図において、４２７はカラーリーダ１からの画像データを画像記憶装置３へ転送する為のエントリーキーである。座標検知板４２０は、読取り原稿上の任意の領域を設定したり、あるいは読取り倍率等を設定するためのものである。ポイントペン４２１はその座標を指定するものである。
　原稿上の任意の領域の画像データを画像記憶装置３へ転送するには、第７図のエントリーキー４２７を押した後、ポイントペン４２１により読取る位置を指示する。
　この読取り領域の情報は、第１図の通信ライン５０５を介してビデオ処理ユニツト１２へ送られる。ビデオ処理ユニツト１２では、この信号をＣＰＵ制御ライン５０８によりビデオインターフエイス１０１から、画像記憶装置３へ送る。
　また、第７図のエントリーキー４２７を押した後、ポイントペン４２１により読み取る位置を指示しない場合は、カラーリーダ１は、原稿９９９の原稿の大きさをプリスキヤンにより検知し、この情報を画像読み取り領域情報として、ビデオインターフエイス１０１を介し、画像記憶装置３へ送る。
　原稿９９９の指示した領域の情報を画像記憶装置３に送るプロセスを説明する。
　第８図にデシタイザ１６のポイントペン４２１によって指示された領域の情報（Ａ，Ｂ点）のアドレスの例を示す。
　ビデオインターフエイス１０１は、この領域情報以外に、ＶＣＬＫ信号、ＩＴＯＰ５５１、領域信号発生回路５１からの信号であるＥＮ信号１０４等を画像データとともに画像記憶装置３へ出力する。これらの出力信号ラインのタイミングチヤートを第９図に示す。
　第９図に示すように、操作部２０のスタートボタンを押すことにより、ステツピングモータ１４が駆動され、原稿走査ユニツト１１が走査を開始し、原稿先端に達したときＩＴＯＰ信号５５１が“１”となり、原稿走査ユニツト１１がデジタイザ１６によって指定した領域に達し、この領域を走査中ＥＮ信号１０４が“１”となる。このため、ＥＮ信号１０４が“１”の間の読取りカラー画像情報（ＤＡＴＡ１０５，１０６，１０７）を取り込めばよい。
　以上の第９図に示す様に、カラーリーダ１からの画像データ転送は、ビデオインターフエイス１０１を第３図に示す様に制御することにより、ＩＴＯＰ５５１、ＥＮ信号１０４の制御信号及びＶＣＬＫ信号に同期してＲデータ１０５、Ｇデータ１０６、Ｂデータ１０７がリアルタイムで画像記憶装置３へ送られる。
　次にこれら画像データと制御信号により、画像記憶装置３が具体的にどのように記憶するかを第１０図（Ａ），（Ｂ）を参照して説明する。
　コネクタ４５５０はカラーリーダ１のビデオインターフエイス１０１とケーブルを介して接続され、Ｒデータ１０５、Ｇデータ１０６、Ｂデータ１０７はそれぞれ９４３０Ｒ，９４３０Ｇ，９４３０Ｂを介してセレクタ４２５０と接続されている。ビデオインターフエイス１０１から送られるＶＣＬＫ、ＥＮ信号１０４、ＩＴＯＰ５５１は、信号ライン９４５０を通り直接システムコントローラ４２１０に入力されている。また、原稿の読取りに先だって、デジタイザ１６によって指示した領域情報は通信ライン９４６０を通りリーダコントローラ４２７０に入力され、ここからＣＰＵバス９６１０を介してＣＰＵ４３６０に読取られる。
　９４３０Ｒ，９４３０Ｇ，９４３０Ｂを介してセレクタ４２５０に入力されたＲデータ１０５、Ｇデータ１０６、Ｂデータ１０７は、セレクタ４２５０により選択されたのち、信号ライン９４２０Ｒ，９４２０Ｇ，９４２０Ｂに出力され、ＦＩＦＯメモリ４０５０Ｒ，４０５０Ｇ，４０５０Ｂに入力される。
　このセレクタ４２５０の詳細構成図を第１１図に示す。
　図示の如く、カラーリーダ１から画像記憶装置３へ画像情報を記憶する場合、システムコントローラ４２１０からの制御信号ＳＥＬＥＣＴ−Ａ・９４５１Ａを１、ＳＥＬＥＣＴ−Ｂ・９４５１Ｂを１、ＳＥＬＥＣＴ−Ｃ・９４５１Ｃを０にセットし、トライステートバツフア４２５１Ｅ，Ｖ，Ｒ，Ｇ，Ｂのみを生かし、他のトライステートバツフア４２５５Ｅ，Ｖ，Ｒ，Ｇ，Ｂ及び４２５６Ｅ，Ｖ，Ｒ，Ｇ，Ｂはハイインピーダンスとする。
　同様に制御信号９４５０のうちＶＣＬＫ，ＥＮ信号もＳＥＬＥＣＴ信号９４５１Ａ，Ｂ，Ｃによって選択される。今、カラーリーダ１からの画像情報を画像記憶装置３に記憶する場合は第１１図に示すように、ＶＣＬＫ，ＥＮ信号はカラーリーダ１から出力される信号であり、トライステートバツフア４２５１Ｅ，Ｖのみが生き、ＣＬＫＩＮ９４５６，ＥＮＩＮ９４５７の信号ラインを通り、システムコントローラ４２１０に入力される。
　また、制御信号ＶＳＹＮＣＩＮ９４５５，ＨＳＹＮＣＩＮ９４５２は、コネクタ４５５０から直接システムコントローラ４２１０に入力される。
　さらに、セレクタ４２５０にはカラーリーダ１からの画像情報を平均化する機能も有する。カラーリーダから入力された信号９４３０Ｒ，９４３０Ｇ，９４３０Ｂは信号ライン９４２１Ｒ，９４２１Ｇ，９４２１Ｂを通りＦＩＦＯメモリ４２５２Ｒ，４２５２Ｇ，４２５２Ｂに入力される。
　ＦＩＦＯメモリ４２５２Ｒ，４２５２Ｇ，４２５２Ｂからの出力は、画像情報９４２１Ｒ，９４２１Ｇ，９４２１Ｂに対し、１主走査遅れの信号であり、信号ライン９４２２Ｒ，９４２２Ｇ，９４２２Ｂを通り、加算器４２５３Ｒ，４２５３Ｇ，４２５３Ｂに入力される。また、加算器４２５３Ｒ，４２５３Ｇ，４２５３Ｂにはセレクタ４２５１Ｒ，４２５１Ｇ，４２５１Ｂからの信号９４２１Ｒ，９４２１Ｇ，９４２１Ｂが入力されている。加算器４２５３Ｒ，４２５３Ｂ，４２５３Ｇは主走査方向２画素、副走査方向２画素、すなわち４画素の平均をとり、信号ライン９４２３Ｒ，９４２３Ｇ，９４２３Ｂに出力する。
　セレクタ４２５４Ｒ，４２５４Ｇ，４２５４Ｂはカラーリーダ１からの画像信号９４２１Ｒ，９４２１Ｇ，９４２１Ｂまたは加算平均された信号９４２３Ｒ，９４２３Ｇ，９４２３Ｂの選択を行い、信号９４２０Ｒ，９４２０Ｇ，９４２０Ｂとし、ＦＩＦＯメモリ４０５０Ｒ，４０５０Ｇ，４０５０Ｂに入力される。
　システムコントローラ４２１０は、セレクタ４２５４Ｒ，４２５４Ｇ，４２５４Ｂからの画像データ９４２０Ｒ，９４２０Ｇ，９４２０Ｂのうち、画像の有効領域のみをＦＩＦＯメモリ４０５０Ｒ，４０５０Ｇ，４０５０Ｂに転送する。また、システムコントローラ４２１０はこの時トリミング処理及び変倍処理も同時に行う。
　さらにＦＩＦＯメモリ４０５０Ｒ，４０５０Ｇ，４０５０Ｂはカラーリーダ１と画像記憶装置３のクロツクの違いを吸収する。
　本実施例のこれらの処理を第１２図の回路図、及び第１３図のタイミングチヤートを参照して以下説明する。
　即ちセレクタ４２５３Ｒ，４２５３Ｇ，４２５３Ｂからの、ＦＩＦＯメモリ４０５０Ｒ，４０５０Ｇ，４０５０Ｂへのデータ転送に先だち、デジタイザ１６で指示された領域の主走査方向の有効領域をＣＰＵバス９６１０によって、コンパレータ４２３２，４２３３に書き込む。
　コンパレータ４２３２にはデジタイザ１６で指示された領域の主走査方向におけるスタートアドレスを、コンパレータ４２３３にはストツプアドレスを設定する。
　また、デジタイザ１６で指示された領域の副走査方向は、セレクタ４２１３を制御してＣＰＵバス９６１０側を選択して有効とし、ＲＡＭ４２１２に指示された領域の有効領域には“０”データを書き込み、無効領域には“１”データを書き込む。
　主走査方向における変倍処理はレートマルチプライヤ４２３４にＣＰＵバス９６１０を介し、変倍率をセツトする。また副走査方向における変倍処理はＲＡＭ４２１２へ書き込むデータにより可能である。
　第１３図はトリミング処理を施した場合のタイミングチヤートである。上記に述べたようにデジタイザ１６で指示された領域のみをメモリに記憶する場合（トリミング処理）、主走査方向のトリミング位置はコンパレータ４２３２と４２３３にセツトし、副走査方向のトリミング位置は、セレクタ４２１３をＣＰＵバス９６１０側にし、ＣＰＵによりＲＡＭ４２１２に書き込む（（例）トリミング領域主走査１０００〜３０４７、副走査１０００〜５０９５）。
　主走査方向のトリミング区間信号９１００はＨＳＹＮＣＩＮ９４５２とＣＬＫＩＮ９４５６に同期してカウンタ４２３０が動作し、このカウンタ出力９１０３が１０００となったとき、コンパレータ４２３２の出力が１となり、フリツプフロツプ４２３５の出力Ｑが１となる。続いてカウンタ出力９１０３が３０４７になったときコンパレータ４２３３の出力が１となり、フリツプフロツプ４２３５の出力は１から０となる。また、第１３図のタイミングチヤートでは、等倍処理を行っているため、レートマルチプライヤ４２３４の出力は１である。トリミング区間信号９１００によってＦＩＦＯメモリ４０５０Ｒ，Ｇ，Ｂに入力される、カラー画像情報の１０００番地から３０４７番地までがＦＩＦＯメモリ４０５０Ｒ，Ｇ，Ｂに書き込まれる。
　また、コンパレータ４２３１からはＨＳＹＮＣＩＮ９４５２に対し、ｌ画素分遅れた信号９１０２を出力する。このようにＦＩＦＯメモリ４０５０Ｒ，Ｇ，ＢのＲＳＴＷ入力、ＲＳＴＲ入力に位相差を持たせることにより、ＦＩＦＯメモリ４０５０Ｒ，Ｇ，Ｂに入力されている、ＣＬＫＩＮ９４５６とＣＬＫ９４５３の周期の違いを吸収する。
　次に、副走査方向のトリミングは、まず、セレクタ４２１３を制御したカウンタ４２１４側を選択して有効とし、ＶＳＹＮＣＩＮ９４５５，ＨＳＹＮＣＩＮ９４５２に同期した区間信号９１０４をＲＡＭ４２１２から出力する。区間信号９１０４はフリツプフロツプ４２１１で信号９１０２と同期をとり、ＦＩＦＯメモリ４０５０Ｒ，Ｇ，Ｂのリセツトリードに入力する。すなわちＦＩＦＯメモリ４０５０Ｒ，Ｇ，Ｂに記憶された画像情報は、トリミング信号９１０１が“０”の区間のみ出力される（ｎ′〜ｍ′）。
　以上の説明においては、トリミング処理のみを説明したが、トリミングと同時に変倍処理も可能である。主走査方向の変倍はレートマルチプライヤ４２３４に変倍率をＣＰＵバス９６１０を介し設定する。また副走査はＲＡＭ４２１２へ書き込むデータにより変倍処理が可能である。
　第１４図にトリミング処理及び変倍処理（５０％）を施した場合のタイミングチヤートを示す。
　第１４図はセレクタ４２５４Ｒ，Ｇ，Ｂからの画像データを変倍処理して５０％縮小し、ＦＩＦＯメモリ４０５０Ｒ，Ｇ，Ｂに転送した場合のタイミングチヤート例を示す図である。
　第１２図のレートマルチプライヤ４２３４にＣＰＵバス９６１０を介して５０％縮小の設定値をセツトする。このときレートマルチプライヤ９１０６の出力は第１４図に示すように主走査方向１画素毎に“０”と“１”が繰り返された波形となる。この信号９１０６とコンパレータ４２３２，４２３３で作られた区間信号９１０５との論理積信号９１００がＦＩＦＯメモリ４０５０Ｒ，Ｇ，Ｂへのライトイネーブルを制御することにより縮小を行う。
　また、副走査は第１４図図示のようにＲＡＭ４２１２への書き込みデータ（ＦＩＦＯメモリ４０５０Ｒ，Ｇ，Ｂへのリードイネーブル信号）を画像データ有効領域内で“１”（読み出し禁止）にすることにより、５０％縮小された画像データのみが画像メモリ４０６０Ｒ，Ｇ，Ｂに送られる。第１４図の場合においては、リードイネーブル信号９１０１は“１”，“０”データを交互にくりかえすことにより５０％縮小を行っている。
　すなわち、主走査方向のトリミング及び変倍処理はＦＩＦＯメモリ４０５０Ｒ，Ｇ，Ｂのライトイネーブルを制御し、副走査方向のトリミング及び変倍処理はＦＩＦＯメモリ４０５０Ｒ，Ｇ，Ｂのリードイネーブルを制御する。
　次に、ＦＩＦＯメモリ４０５０Ｒ，４０５０Ｇ，４０５０Ｂからメモリ４０６０Ｒ，４０６０Ｇ，４０６０Ｂへの画像データの転送は、カウンタ０（４０８０−０）と制御ライン９１０１によって行われる。
　制御ライン９１０１はＦＩＦＯメモリ、４０５０Ｒ，Ｇ，Ｂのリードイネーブル信号であり、かつカウンタ４０８０−０イネーブル信号及びメモリ４０６０Ｒ，Ｇ，Ｂのライトイネーブル信号でもある。
　制御ライン９１０１が“０”のときＦＩＦＯメモリ４０５０Ｒ，Ｇ，Ｂから読み出された画像データはトライステートバツフア９０９０Ｒ，Ｇ，Ｂを通りメモリ４０６０Ｒ，Ｇ，Ｂに入力される。このときカウンタ４０８０−０のイネーブルも“０”となっており、ＣＬＫ９４５３に同期してカウントｕｐした信号９１２０−０がカウンタ４０８０−０から出力され、セレクタ４０７０を通りメモリ４０６０Ｒ，Ｇ，ＢのＡＤＲ９１１０に入力される。
　また、このときメモリ４０６０Ｒ，Ｇ，ＢのライトイネーブルＷＥ９１０１も“０”となっているから、メモリ４０６０Ｒ，Ｇ，Ｂに入力されている画像データ９０９０Ｒ，Ｇ，Ｂが記憶される。
　なお、本実施例におけるメモリ容量は各色１Ｍバイトであるため、第８図における読取り領域の画像データを５０％縮小することにより、読取り画像データは本画像記憶装置３がもつメモリの最大容量のデータに変換され、記憶されている。
　また、以上の実施例ではＣＰＵ４３６０は、Ａ３原稿のデジタイザ１６で指示された領域の情報から有効領域を算出し、コンパレータ４２３１〜４２３３，レートマルチプライヤ４２３４及びＲＡＭ４２１２に対応するデータをセツトする。
　本実施例では、読取り画像のデータ容量が具備する画像メモリ容量よりも多いため縮小処理を行い、記憶可能な容量に変換した後画像メモリに記憶した。しかし、読取り画像のデータ容量が具備する画像メモリ容量よりも少ない場合は第１５図のＣＬＲ信号９１７１を“１”にすることによって複数の画面を同時に画像メモリ内に記憶することが可能である。この場合はデジタイザ１６で指示された領域のメモリヘの書き込みを制御するコンパレータ４２３２，４２３３には、トリミング情報データをレートマルチプライヤ４２３４には等倍の設定を行う。またＲＡＭ４２１２への書込みデータは、画像有効領域は全て“０”をそれ以外は“１”とし、等倍の設定とする。
　また、読取り画像のアスペクト比（縦・横の比）を保ったままメモリに記憶するために、まずＣＰＵ４３６０はデジタイザ１６から送られて来た領域情報から、有効画素数“ｘ”を求める。次に画像記憶メモリの最大容量“ｙ”から、次式によりｚを求める。
　この結果、
（１）ｚ≧１００のときはレートマルチプライヤ４２３４の設定は１００％ＲＡＭ４２１２に有効画像領域の全てを“０”とし等倍で記憶する。
（２）ｚ＜１００のときはレートマルチプライヤ４２３４の設定及びＲＡＭ４２１２ともにｚ％の縮小を行い、アスペクト比を保ったまま、メモリの最大容量に記憶する。
　この場合においても、ＲＡＭ４２１２に書込むデータは、縮小率“ｚ”に対応して“１”，“０”のデータを適時書込めばよい。
　このように制御することにより、画像記憶装置３内のみの制御で入力画像のアスペクト比を保ったまま、任意の変倍処理が容易な制御で可能となり、読取り画像の効果的な認識が可能となる。また同時にメモリ容量の利用効率を最大とすることが可能である。
＜ＳＶ録再生機インターフエイスの説明＞
　本実施例システムは、第１図図示のようにＳＶ録再生機３１からのビデオ画像を画像記憶装置３に記憶し、モニタテレビ３２やカラープリンタ２へ出力することも可能である。また、画像処理装置３は入力した画像のハンドリングをも行う。
　以下に、ＳＶ録再生機３１からのビデオ画像を画像記憶装置３への取り込みについて説明する。
　まず、ＳＶ録再生機３１からのビデオ画像の画像記憶装置３への取り込み制御について、第１０図（Ａ），（Ｂ）の画像記憶装置３のブロツク構成図を参照して以下に説明する。
　ＳＶ録再生機３１よりのビデオ画像は、アナログインターフエイス４５００を介してＮＴＳＣコンポジツト信号９０００の形で入力され、デコーダ４０００によりセパレートＲ，Ｇ，Ｂ信号、及びコンポジットＳＹＮＣ信号の４つの信号である９０１５Ｒ，Ｇ，Ｂに分離される。
　また、デコーダ４０００は、アナログインターフエイス４５１０からのＹ（輝度）／Ｃ（マクロ）信号９０１０も合わせて上記と同様にデコードする。セレクタ４０１０への９０２０Ｒ，９０２０Ｇ，９０２０Ｂ，９０２０Ｓの各信号は、セパレートＲ，Ｇ，Ｂ信号及びコンポジツトＳＹＮＣ信号の形での入力信号である。なお、スイツチ４５３０は信号９０３０Ｒ〜Ｓと９０１５Ｒ〜Ｓのどちらかの入力を選択して切換えるためのセレクタ４０１０を制御するスイツチである。スイツチ４５３０が開放状態のとき信号９０３０Ｒ〜Ｓを選択し、閉成している時に信号に９０１５Ｒ〜Ｓを選択する。
　セレクタ４０１０によって選択されたセパレートＲ，Ｇ，Ｂ信号としての９０５０Ｒ，９０５０Ｇ，９０５０Ｂの各信号は、Ａ／Ｄコンバータ４０２０Ｒ，４０２０Ｇ，４０２０Ｂによってアナログ／デジタル変換される。
　また、選択されたコンポジツトＳＹＮＣ信号９０５０Ｓは、ＴＢＣ／ＨＶ分離回路４０３０に入力され、該ＴＢＣ／ＨＶ分離回路４０３０により、コンポジツトＳＹＮＣ信号９０５０からクロツク信号９０６０Ｃ、水平同期信号９０６０Ｈ及び垂直同期信号９０６０Ｖが生成される。これらの同期信号は、システムコントローラ４２１０に供給される。
　本実施例のＴＢＣ／ＨＶ分離回路４０３０より出力されるＴＶＣＬＫ９０６０Ｃ信号は１２．２５ＭＨｚのクロツク信号、ＴＶＨＳＹＮＣ９０６０Ｈ信号はパルス幅６３．５μＳの信号、ＴＶＶＣＹＮＣ９０６０Ｖ信号はパルス幅１６．７ｍＳの信号である。
　ＦＩＦＯメモリ４０５０Ｒ，４０５０Ｇ，４０５０Ｂは、ＴＶＨＳＹＮＣ９０６０Ｈ信号によってリセツトされ、“０”番地からＴＶＣＬＫ９０６０Ｃ信号に同期して、データ９０６０Ｒ，９０６０Ｇ，９０６０Ｂを書き込む。このＦＩＦＯメモリ４０５０Ｒ，４０５０Ｇ，４０５０Ｂの書き込みは、システムコントローラ４２１０から出力されるＷＥ信号９１００の付勢されている時に行われる。
　このＷＥ信号９１００によるこのＦＩＦＯメモリ４０５０Ｒ，４０５０Ｇ，４０５０Ｂの書き込み制御の詳細を以下に説明する。
　本実施例におけるＳＶ録再生機３１はＮＴＳＣ規格である。このため、ＳＶ録再生機３１よりのビデオ画像をデジタル化した場合、６４０画素（Ｈ）×４８０画素（Ｖ）の画面容量となる。従って、まず画像記憶装置３のＣＰＵ４３６０は、コンパレータ４２３２，４２３３に主走査方向６４０画素となるように設定値を書き込む。次にセレクタ４２１３の入力をＣＰＵバス９６１０側にし、このＲＡＭ４２１３に副走査方向４８０画素分の“０”を書き込む。
　また、主走査方向の倍率を設定するレートマルチプライヤ４２３４に１００％のデータを設定する。
　ＳＶ録再生機３１の画像情報をメモリ４０６０Ｒ，Ｇ，Ｂに記憶する場合、システムコントローラ４２１０は、ＴＢＣ／ＨＶ分離回路４０３０から出力されるＴＶＶＣＹＮＣ９０６０Ｖ，ＴＶＨＳＹＮＣ９０６０Ｈ，ＴＶＣＬＫ９０６０Ｃは第１２図に示すＶＳＹＮＣＩＮ９４５５，ＨＳＹＮＣＩＮ９４５２，ＣＬＫＩＮ９４５６に接続される。
　上述したように、画像制御信号をＳＶ録再生機インターフエイス側にすることにより、Ａ／Ｄコンバータ４０２０Ｒ，４０２０Ｇ，４０２０Ｂからの出力信号である９０６０Ｒ，９０６０Ｇ，９０６０Ｂのビデオ画像の１主走査分のデータが、ＦＩＦＯメモリ４０５０Ｒ，４０５０Ｇ，４０５０Ｂに等倍で記憶される。
　一方、入力ＳＶビデオ画像を縮小して、ＦＩＦＯメモリ４０５０Ｒ，４０５０Ｇ，４０５０Ｂに記憶する場合は、レートマルチプライヤ４２３４に縮小率を設定するとともに画像有効領域内のＲＡＭ４２１２のデータを縮小率に応じて“１”にすることにより、縮小が可能である。
　ＦＩＦＯ４０５０Ｒ，４０５０Ｇ，４０５０Ｂから４０６０Ｒ，４０６０Ｇ，４０６０Ｂへのデータ転送は、上述したカラーリーダ１から４０６Ｒ，４０６０Ｇ，４０６０Ｂへのデータ書き込み制御と同様である。
　また本実施例のＳＶ録再生機３１はＮＴＳＣ規格のものであり、主走査方向、副走査方向のデジタル画像のアスペクト比は４：３の場合を例に説明したが、将来のテレビジヨンの規格と予想されるＨＤＴＶ規格のアスペクト比１６：９に対しても、第１２図のコンパレータ４２３２，４２３３及びＲＡＭ４２１２の内容を書きかえることにより対応可能である。
　また、本実施例のメモリ容量の２Ｍバイトに対し、ＮＴＳＣ規格の１画面の容量は約０．３Ｍバイトであるため、６画面の画像を記憶することが可能である。この６画面の記憶も第１５図に示すＣＬＲ９１７１を“１”にすることにより可能である。
　又、ＨＤＴＶ規格における１８４０画素（主走査方向）×１０３５（副走査）の場合は、ＣＬＲ９１７１を“０”にすることによって２Ｍバイトのメモリ１画面記憶することができる。
　更に又、ビデオ機器のハイバンド化に対応することも可能である。即ち、本実施例のＴＢＣ／ＨＶ分離回路４０３０から出力されるＴＶＣＬＫを高めることによって主走査方向の読取り画素数を多くすることが可能である。
＜画像記憶装置よりの読出し処理＞
　次に、以上説明した画像記憶装置３のメモリ４０６０Ｒ，４０６０Ｇ，４０６０Ｂよりの画像データの読み出し処理について説明する。
　このメモリからの画像出力をカラープリンタ２で画像形成を行う場合の指示入力等はおもに上述した第７図に示すデジタイザ６によって行われる。
　第７図のキー４２８は、４０６０Ｒ，４０６０Ｇ，４０６０Ｂからの画像データをカラープリンタ２で記録紙の大きさに応じて画像形成を行うためのエントリーキーである。また、キー４２９はデジタイザ１６の座標検知板４２０と、ポイントペン４２１で指示された位置に画像を形成するためのエントリーキーである。
　まず最初に記録紙の大きさに応じて画像形成を行う実施例、次にデジタイザで指示された領域に画像を形成する実施例について説明する。
＜記録紙の大きさに対応した画像形成処理＞
　本実施例においては、カラープリンタ２は第１図に示す様に２つのカセツトトレイ７３５，７３６をもち、２種類の記録紙がセツトされている。ここでは、上段にＡ４サイズ、下段にＡ３サイズの記録紙がセツトされている。この記録紙の選択は走査部２０の液晶タツチパネルにより選択入力される。なお、以下の説明はＡ４サイズの記録紙への複数の画像形成をする場合について行う。
　まず、画像形成に先立ち、上述したカラーリーダ１から画像記憶装置３への読取り画像データの入力により、カラーリーダ１から後述する画像メモリ４０６０Ｒ，４０６０Ｇ，４０６０Ｂに、例えば第１６図に示す様にそれぞれ「画像０」〜「画像１５」の合計１６の画像データを記憶させる。
　次にデジタイザ１６のエントリーキー４２８を押す。これにより不図示のＣＰＵがこのキー入力を検知し、Ａ４サイズの記録紙に対し、自動的に画像形成位置の設定を行なう。第１６図に示す１６の画像を形成する場合には、例えば画像形成位置を第１７図のように設定する。
　本実施例における以上の画像形成処理の詳細を第１０図のブロック図、及び第１８図に示すタイミングチヤートを参照して以下に説明する。
　第２図に示すカラープリンタ２からプリンタインターフエイス５６を介してカラーリーダ１に送られて来るＩＴＯＰ信号５１１は、ビデオ処理ユニツト１２内のビデオインターフエイス１０１に入力され、ここから画像記憶装置３へ送られる。画像記憶装置３ではこのＩＴＯＰ信号５５１により画像形成処理を開始する。そして、画像記憶装置３に送られた各画像は、画像記憶装置３内の第１０図（Ａ），（Ｂ）に示すシステムコントローラ４２１０の制御で画像形成される。
　第１０図（Ａ），（Ｂ）において、カウンタ０（４０８０−０）の出力がセレクタ４０７０によって選択され、メモリアドレス線９１１０によりメモリ４０６０Ｒ，４０６０Ｇ，４０６０Ｂが読出しのためにアクセスされる。このアクセスにより各メモリ４０６０Ｒ，４０６０Ｇ，４０６０Ｂに記憶された画像データが読出され、各メモリからの読出し画像信号９１６０Ｒ，９１６０Ｇ，９１６０Ｂは、ルツクアツプテーブル（ＬＵＴ）４１１０Ｒ，４１１０Ｇ，４１１０Ｂに送られ、ここで人間の目の比視感度特性に合わせるための対数変換が行われる。この各ＬＵＴよりの変換データ９２００Ｒ，９２００Ｇ，９２００Ｂは、マスキング／黒抽出／ＵＣＲ回路４１２０に入力される。そして、このマスキング／黒抽出／ＵＣＲ回路４１２０で画像記憶装置３のカラー画像信号の色補正を行うとともに、黒色記録時はＵＣＲ／黒抽出を行う。
　そして、これら連続してつながっているマスキング／黒抽出／ＵＣＲ回路４１２０よりの画像信号９２１０は、セレクタ４１３０によって各画像毎に分離され、各ＦＩＦＯメモリ４１４０−０〜３に入力される。今までシーケンシヤルに並んでいた各画像は、このＦＩＦＯ４１４０−０〜３の作用により並列に処理可能となる。
　この各メモリからの読出し画像信号９１６０Ｒ，９１６０Ｇ，９１６０Ｂと各ＦＩＦＯよりの並列出力画像情報９２６０−０〜３との関係を第１８図の上段部に示す。図示の如く、主走査方向１ラインの画像形成に必要な「画像０」〜「画像３」の“０”ライン目の読出し画像情報に対応する９２６０−０〜３が、全て並列処理可能な状態となる。
　この並列となった各画像信号９２６０−０〜３は、次の拡大・補間回路４１５０−０〜３に入力される。拡大・補間回路４１５０−０〜３はシステムコントローラ４２１０により、第１７図に示す各画像のレイアウトとなるよう制御され、第１８図に示す信号９３００−０〜３の様に拡大・補間される。なお、本実施例では、１次補間法を用いている。
　この補間された信号９３００−０〜３は、セレクタ４１９０に入力され、ここまで並列に処理された各画像データを再びシリアルの画像データ信号とする。セレクタ４１９０によりシリアル画像データに変換された画像信号９３３０は、エツジフイルタ回路４１８０によって、エツジ強調、及びスムージング（平滑化）処理が行われる。そしてＬＵＴ４２００を通り、信号ライン９３８０を介しセレクタ４２５０に入力される。
　セレクタ４２５０に入力された信号は、トライステートのゲート４２５６Ｒ，Ｇ，Ｂ及び４２５５Ｒ，Ｇ，Ｂを通り、信号ライン９４３０Ｒ，Ｇ，Ｂを介し、コネクタ４５５０に出力される。
　同様にシステムコントローラ４２１０から出力されるＥＮＯＵＴ９４５４、ＣＬＫ９４５３もトライステートのゲート４２５６Ｅ，Ｖ及び４２５５Ｅ，Ｖを通り信号ライン９４５０を介し、コネクタ４５５０に出力される。
　このとき第１１図に示すトライステートのゲートを制御する制御ラインＳＥＬＥＣＴ−Ａ　９４５１Ａ、ＳＥＬＥＣＴ−Ｂ　９４５１Ｂ、ＳＥＬＥＣＴ−Ｃ　９４５１Ｃは“０”、“０”、“１”に設定する。
　以下、「画像０」〜「画像３」の全ての画像データの形成が終了すると、次に「画像４」〜「画像７」、「画像８」〜「画像１１」、「画像１２」〜「画像１５」の順で順次画像形成され、第１７図に示す「画像０」〜「画像１５」の１６個の画像形成が行なわれる。
＜任意の位置のレイアウトによる画像形成＞
　以上の説明は、第１７図のように画像を自動的に形成可能に展開し、画像形成する制御を説明したが、本実施例は以上の例に限るものではなく、任意の画像を任意の位置に展開して画像形成することもできる。
　以下、この場合の例として第２０図に示す「画像０」〜「画像３」を、図示の如く展開し、画像形成する場合を説明する。
　まず、上述したメモリヘの画像入力制御と同様の制御により、カラーリーダ１から読み込んだ４個の画像情報を、画像メモリである４０６０Ｒ，４０６０Ｇ，４０６０Ｂへ、第１９図のように記憶させる。次にデジタイザ１６のエントリーキー４２９を押すことにより、デジタイザ１６よりの読み込み画像の画像形成すべき指定位置入力待ちとなる。
　そして、ポイントペン４２１を操作して座標検知板４２０より所望の展開位置を指定入力する。例えば展開領域を第２０図に示す様に指定入力する。
　この場合の画像形成処理を第１０図（Ａ）、（Ｂ）のブロツク構成図、および第２１図，第２２図に示すタイミングチヤートを参照して以下説明する。
　第２１図は第２０図に示す、“ｌ１”ラインにおける画像形成時のタイミングチヤート、第２２図は第２０図における“ｌ２”ラインにおける画像形成時のタイミングチヤートである。
　ＩＴＯＰ信号５５１は、上述と同様にプリンタ２から出力され、システムコントローラ４２１０はこの信号に同期して動作を開始する。
　なお、第２０図に示す画像のレイアウトにおいて、「画像３」はカラーリーダ１からの画像を９０度回転したものとなっている。
　この画像の回転処理は以下の手順で行なわれる。まず、第１０図におけるＤＭＡＣ（ダイレクトメモリアクセスコントローラ）４３８０によって４０６０Ｒ，４０６０Ｇ，４０６０Ｂからワークメモリ４３９０へ画像を転送する。次に、ＣＰＵ４３６０によってワークメモリ４３９０内で公知の画像の回転処理を行った後、ＤＭＡＣ４３８０によって、ワークメモリ４３９０から４０６０Ｒ，４０６０Ｇ，４０６０Ｂへの画像の転送を行い、画像の回転処理が行なわれることになる。
　デジタイザ１６によってレイアウトされ、指示入力された各画像の位置情報は、第１図のビデオ処理ユニツト１２を介して画像記憶装置３へ送られる。この各画像に対する展開位置情報を受取ったシステムコントローラ４２１０は、各画像に対応した拡大・補間回路４１５０−０〜３の動作許可信号９３２０−０〜３を発生する。
　本実施例における任意の位置のレイアウトにおいては、例えばカウンタ０（４０８０−０）が画像０に、カウンタ１（４０８０−１）が画像１に、カウンタ２（４０８０−２）が画像２に、カウンタ３（４０８０−３）が画像３にそれぞれ対応して動作する。
　第２０図に示す“ｌ１”ラインにおける画像形成時の制御を、第２１図を参照して説明する。
　画像メモリ４０６０Ｒ，４０６０Ｇ，４０６０Ｂからの「画像０」の読み出しは、カウンタ０（４０８０−０）によって“０”番地から“０．５Ｍ”番地（第１９図に示す「画像０」の格納領域）までを読み出す。このカウンタ４０８０−０〜３の出力の切換えは、セレクタ４０７０によって行なわれる。
　同様に、「画像１」の読み出しは、カウンタ１（４０８０−１）によって“０．５Ｍ”番地から“１Ｍ”番地（第１９図に示す「画像１」の格納領域）までが読み出される。この読み出しのタイミングを第２１図に９１６０Ｒ，Ｇ，Ｂとして示す。
　ここで、カウンタ４０８０−２、及びカウンタ４０８０−３は、システムコントローラ４２１０からのカウンタイネーブル信号９１３０−２，９１３０−２，９１３０−３によっては動作しない。
　「画像０」及び「画像１」のデータは、ＬＵＴ４１１０Ｒ，４１１０Ｇ，４１０Ｂを介してマスキング／黒抽出／ＵＣＲ回路４１２０に送られ、ここで面順次の色信号９２１０となる。この面順次色信号９２１０は、セレクタ４１２０によって並列化され、各画素毎に分けられてＦＩＦＯメモリ４１４０−０，４１４０−１に送られる。そして、システムコントローラ４２１０からの拡大・補間回路４１５０−０，４１５０−１への動作許可信号９３２０−０，９３２０−１がイネーブルとなると、拡大・補間回路４１５０−０，４１５０−１はＦＩＦＯ読み出し信号９２８０−０，９２８０−１をイネーブルとし、読出し制御を開始する。
　ＦＩＦＯメモリ４１４０−０，４１４０−１は、この信号９２８０−０，９２８０−１によって拡大・補間回路４１５０−０，４１５０−１への画像データの転送を開始する。そして、この拡大・補間回路４１５０−０，４１５０−１によって、先にデジタイザ１６で指示された領域に従ったレイアウト及び補間演算がされる。このタイミングを第２１図の９３００−０，９３００−１に示す。
　レイアウト及び補間演算がされた「画像０」、「画像１」データは、セレクタ４１９０によって選択された後、エツジフイルタ回路４１８０を通り、ＬＵＴ４２００に入力される。その後のコネクタ４５５０までの処理は上述と同様であるので説明を省略する。
　次に、第２２図を参照して、第２０図に示す“ｌ２”ラインのタイミングを説明する。
　画像メモリ４０６０Ｒ，４０６０Ｇ，４０６０Ｂから拡大・補間回路４１５０−１，４１５０−２までの処理は上述と略同様である。
　ただし、“ｌ２”ラインにおいては、「画像１」と「画像２」が出力されているため、カウンタ１（４０８０−１）とカウンタ２（４０８０−２）、ＦＩＦＯ４１４０−１，４１４０−２、拡大・補間回路４１５０−１，４１５０−２が動作する。これらの制御は、システムコントローラ４２１０からの制御信号に従って行われる。
　第２０図に示す如く、“ｌ２”ラインでは、「画像１」と「画像２」が重なり合っている。この重なった部分において、どちらかの画像を画像形成するか、または両方の画像を画像形成するかはシステムコントローラ４２１０からの制御信号９３４０によって選択可能である。
　具体的制御は上述の場合と同様である。
　コネクタ４５５０からの信号は、ケーブルによってカラーリーダ１と接続されている。このため、カラーリーダ１のビデオインターフエイス１０１は、第５図に示す信号ライン経路で画像記憶装置３よりの画像信号１０５をプリンタインターフエイス５６に選択出力する。
　上述した本実施例における画像形成における画像記憶装置３よりカラープリンタ２への画像情報の転送処理の詳細を第２３図のタイミングチヤートを参照して以下に説明する。
　上述した如く、操作部２０のスタートボタンを押すことによりプリンタ２が動作を始め、記録紙の搬送を開始する。そして、記録紙が画像形成部の先端に達するとＩＴＯＰ信号５５１を出力する。このＩＴＯＰ信号５５１は、カラーリーダ１を介して画像記憶装置３に送られる。画像記憶装置３は、設定された条件のもとに各画像メモリ４０６０Ｒ，４０６０Ｇ，４０６０Ｂに格納されている画像データを読み出し、上述したレイアウト、拡大・補間等の処理を行った後、処理された画像データをカラーリーダ１のビデオ処理ユニツト１２に送る。ビデオ処理ユニツト１２のビデオインターフエイス１０１は、送られて来たデータの種類（Ｒ，Ｇ，Ｂ）／（Ｍ，Ｃ，Ｙ，Ｂｋ）に応じてビデオインターフエイス１０１における処理方法を変える。
　本実施例では、Ｍ，Ｃ，Ｙ，Ｂｋの面順次による出力のため、以上の動作をＭ，Ｃ，Ｙ，Ｂｋの順で４回くり返し、画像が形成される。
＜プリンタ部＞
　以上の様にビデオ処理ユニット１２で処理された画像信号をプリントアウトするカラープリンタ２の構成を第１図を用いて説明する。
　第１図のプリンタ２の構成において、７１１はスキヤナであり、カラーリーブ１からの画像信号を光信号に変換するレーザ出力部、多面体（例えば８面体）のポリゴンミラー７１２、このポリゴンミラー７１２を回転させるモータ（不図示）およびｆ／θレンズ（結像レンズ）７１３等を有する。７１４は図中１点鎖線で示されるスキヤナ７１１よりのレーザ光の光路を変更する反射ミラー、７１５は感光ドラムである。
　レーザ出力部から出射したレーザ光は、ポリゴンミラー７１２で反射され、ｆ／θレンズ７１３および反射ミラー７１４により感光ドラム７１５の面を線状に走査（ラスタースキヤン）し、原稿画像に対応した潜像を形成する。
　また、７１７は一次帯電器、７１８は全面露光ランプ、７２３は転写されなかった残留トナーを回収するクリーナ部、７２４は転写前帯電器であり、これらの部材は感光ドラム７１５の周囲に配設されている。７２６はレーザ露光によって、感光ドラム７１５の表面に形成された静電潜像を現像する現像器ユニツトであり、７３１Ｙ（イエロー用）、７３１Ｍ（マゼンタ用）、７３１Ｃ（シアン用）、７３１Ｂｋ（ブラツク用）は感光ドラム７１５と接して直接現像を行う現像スリーブ、７３０Ｙ，７３０Ｍ，７３０Ｃ，７３０Ｂｋは予備トナーを保持しておくトナーホツパー、７３２は現像剤の位相を行うスクリユーである。これらのスリーブ７３１Ｙ〜７３１Ｂｋ、トナーホッパー７３０Ｙ〜７３０Ｂｋおよびスクリユー７３２により現像器ユニット７２６が構成され、これらの部材は現像器ユニツト７２６の回転軸Ｐの周囲に配設されている。
　例えば、イエローのトナー像を形成する時は、本図の位置でイエロートナー現像を行う。マゼンタのトナー像を形成する時は、現像器ユニツト７２６を図の軸Ｐを中心に回転させ、感光体７１５に接する位置にマゼンタ現像器内の現像スリーブ７３１Ｍを配設させる。シアン、ブラツクの現像も同様に現像器ユニツト７２６を図の軸Ｐを中心に回転させて動作する。
　また、７１６は感光ドラム７１５上に形成されたトナー像を用紙に転写する転写ドラムであり、７１９は転写ドラム７１６の移動位置を検出するためのアクチユエータ板、７２０はこのアクチユエータ板７１９と近接することにより転写ドラム７１６がホームポジション位置に移動したのを検出するポジシヨンセンサ、７２５は転写ドラムクリーナ、７２７は紙押えローラ、７２８は除電器、７２９は転写帯電器であり、これらの部材７１９，７２０，７２５，７２７，７２９は転写ローラ７１６の周囲に配設されている。
　一方、７３５，７３６は用紙（紙葉体）を収集する給紙カセツト、７３７，７３８はカセツト７３５，７３６から用紙を給紙する給紙ローラ、７３９，７４０，７４１は給紙および搬送のタイミングをとるタイミングローラである。これらを経由して給紙搬送された用紙は、紙ガイド７４９に導かれて先端を後述のグリツパに担持されながら転写ドラム７１６に巻き付き、像形成過程に移行する。
　又、５５０はドラム回転モータであり、感光ドラム７１５と転写ドラム７１６を同期回転させる。７５０は像形成過程が終了後、用紙を転写ドラム７１６から取りはずす剥離爪、７４２は取りはずされた用紙を搬送する搬送ベルト、７４３は搬送ベルト７４２で搬送されて来た用紙を定着する画像定着部であり、画像定着部７４３において、モータ取り付け部７４８に取り付けられたモータ７４７の回転力は、伝達ギヤ７４６を介して一対の熱圧カローラ７４４及び７４５に伝達され、この熱圧カローラ７４４及び７４５間を搬送される用紙上の像を定着する。
　以上の構成により成るプリンタ２のプリントアウト処理を、第２３図のタイミングチヤートも参照して以下に説明する。
　まず、最初のＩＴＯＰ５５１が来ると、レーザ光により感光ドラム７１５上にＹ潜像が形成され、これが現像ユニツト７３１Ｙにより現像され、次いで転写ドラム上の用紙に転写が行われ、マゼンタプリント処理が行われる。そして、現像ユニツト７２６が図の軸Ｐを中心に回動する。
　次のＩＴＯＰ５５１が来ると、レーザ光により感光ドラム上にＭ潜像が形成され、以下同様の動作でシアンプリント処理が行われる。この動作を続いて来るＩＴＯＰ５５１に対応してＣ，Ｂｋについても同様に行い、イエロープリント処理、ブラツクプリント処理が行われる。このようにして、像形成過程が終了すると次に剥離爪７５０により用紙の剥離が行われ、画像定着部７４３で定着が行われ、一連のカラー画像のプリントが終了する。
　本実施例において、ビデオ機器１はＮＴＳＣ規格のＳＶレコーダである。１つのＳＶジヤケツトの中に記憶されている画像は複数画像、例えば５０であり、１枚のプリント出力にする場合、記憶されているＳＶ画像の中から任意の画像を選択し、出力のレイアウトをおこなうことができる。第２４図は、本実施例における手順と本実施例に依り得られるイメージを表わす。
　まず、ＳＶのジヤケツト内に登録されている画像をすべて縮小し、ＳＶジヤケツトに登録されている順（以下インデツクスＮｏ．という）にレイアウトした１面の画像をＲＯＭ４３７０にあらかじめ記憶されているサイズに従って作成する（Ｓ０１〜Ｓ０３）。
　即ち、画像記憶装置３のＣＰＵ４３６０は、ＳＶジヤケツト内に登録されている順に入力ＳＶビデオ画像を読み出し（Ｓ０１）、縮小して（Ｓ０２）、ＦＩＦＯメモリ４０５０Ｒ，４０５０Ｇ，４０５０Ｂに記憶する。かかる場合には、画像有効領域内のＲＡＭ４２１３のデータを縮小率に応じて“１”にすることにより、主走査方向の縮小を行う。
　ＦＩＦＯ４０５０Ｒ，４０５０Ｇ，４０５０Ｂから４０６０Ｒ，４０６０Ｇ，４０６０Ｂへのデータ転送は、上述した実施例におけるカラーリーダ１から４０６０Ｒ，４０６０Ｇ，４０６０Ｂへのデータ書き込み制御と同様である。
　副走査方向への縮小は同様に第１５図のＲＡＭ４２１７へのデータをセツトすることにより縮小を行う。
　縮小されたＳＶの１画像の４０６０Ｒ，４０６０Ｇ，４０６０Ｂ内のビデオ画像データは、デイスプレイメモリ４４１０Ｒ，４４１０Ｇ，４４１０Ｂへ転送される際に、左上から順にレイアウトされ、ＳＶ画像の入力、縮小、デイスプレイメモリヘの配置を全ＳＶ画像に対してくりかえす（Ｓ０３）。このようにして、ＳＶジヤケツト内のすべて画像を一面にレイアウトしたデイスプレイメモリ４４１０Ｒ，４４１０Ｇ，４４１０Ｂに記憶されたビデオ画像データは、ＬＵＴ４４２０Ｒ，４４２０Ｇ，４４２０Ｂを通ってＤ／Ａコンバータ４４３０Ｒ，４４３０Ｇ，４４３０Ｂに送られ、ここでデイスプレイコントローラ４４４０からのＳＹＮＣ信号４５９０Ｓに同期してアナログＲ信号４５９０Ｒ、Ｇ信号４５９０Ｇ、Ｂ信号４５９０Ｂに変換され、モニタに出力される。一方、デイスプレイコントローラ４４４０からはこれらのアナログ信号の出力タイミングに同期してＳＹＮＣ信号９６００が出力される。このアナログＲ信号４５９０Ｒ、Ｇ信号４５９０Ｇ、Ｂ信号４５９０Ｂ、ＳＹＮＣ信号４５９０Ｓをモニタ４に接続することにより、画像記憶装置３の記憶内容を表示することができる（Ｓ０４）。
　このようにして、ＳＶジヤケツト内の全画像データを１画面に縮小しレイアウトした画像（以下インデツクス画面という）がモニタ４上に表示される。
　次に、コントロールユニツト１３は操作部２０の液晶タツチパネル上にＳＶインデツクス画面に対応したＳＶジヤケツト内のインデツクスＮｏ．を表示する（Ｓ０５）。操作者は複数のＳＶ画像が表示されているインデツクス画面の中から所望するＳＶ画像のＮｏ．をタツチパネル上に表示されているインデックスＮｏ．部分をおすと、これを受付け、コントロールユニツト１３側が指定されたＳＶのインデツクスＮｏ．を判別し、コントロールユニツト１３内の記憶領域にそのインデツクスＮｏ．を記憶する（Ｓ０６）。
　そして、かかる選択が終了したことがエンドキーにより受付けられたら操作部２０上のタツチパネルの表示をあらかじめコントロールユニツト１３内に記憶してある用紙イメージの枠と、その中での固定のレイアウト配置された複数の枠の表示に切りかえる（Ｓ０７）。この状態で操作者は選択したＳＶインデツクスＮｏ．の画像を用紙内のどの位置にレイアウトするかを複数の枠の中から選び、その位置のタツチパネルを押すことにより指定する。コントロールユニツト１３は、選択されたＳＶのインデツクスＮｏ．とその画像の出力の用紙内の位置情報とを関係づけた情報をその内部の記憶領域内に記憶していく（Ｓ０８）。
　この操作を希望するレイアウトの指定が終了するまで繰り返す（Ｓ０８）。本実施例ではプリントキーがオンされたことにより、かかる指定が終了する様構成されている。最後に操作部２０上のプリントキーがオンされたならば、Ｓ０９からフローはＳ１０へ分岐し、コントローラユニツト１３内の記憶領域に記憶されたインデックスＮｏ．順にＳＶジヤケツト内から縮小をおこなわない等倍の画像データを読込む（Ｓ１０）。
　ＳＶレコーダのビデオ画像をデジタル化した場合、６４０画素（Ｈ）×４８０画素（Ｖ）の画面容量となる。
　従って、まず画像記憶装置３のＣＰＵ４３６０は、ＲＡＭ４２１３に主走査方向６４０画素分“０”を書き込む。次にセレクタ４２１２の入力をカウンタ４２１１側にし、このＲＡＭ４２１３よりのデータを上述の実施の場合と同様、ＦＩＦＯメモリ４０５０Ｒ，４０５０Ｇ，４０５０ＢのＷＥ信号制御用データとする。ここで、ＲＡＭ４２１３に“０”を書込むことにより、Ａ／Ｄコンバータ４０２０Ｒ，４０２０Ｇ，４０２０Ｂよりの出力信号である９０６０Ｒ，９０６０Ｇ，９０６０Ｂのビデオ画像の１主走査分のデータが、ＦＩＦＯメモリ４０５０Ｒ，４０５０Ｇ，４０５０Ｂに等倍で記憶される。
　そして、ＦＩＦＯ４０５０Ｒ，４０５０Ｇ，４０５０Ｂから４０６０Ｒ，４０６０Ｇ，４０６０Ｂヘデータを転送し、この走査を選択されたＳＶ画像すべてに対しておこない、画像メモリ４０６０Ｒ，４０６０Ｇ，４０６０Ｂに複数のＳＶ画像を記憶する。
　その後、これらの画像をコントロールユニツト１３内の記憶してある位置・サイズ情報に基づいて、カラープリンタ２で記録する各画像のレイアウトをおこない出力する（Ｓ１１）。
　この時の画像メモリ４０６０Ｒ，４０６０Ｇ，４０６０Ｂからカラープリンタ２への記憶情報の読出し制御及びカラープリンタ２での記録制御は、上述した実施例と同様であるので説明は省略する。
　以上、説明した実施例においてはスチルビデオを例にとって説明したが、本発明はかかる装置に限定されるものではなく、画像のソースとしてはＶＴＲや画像フアイルであってもよい。
〔発明の効果〕
　以上説明したように、本発明によれば、装置内に画像データを保持するためのメモリを削減でき、複数の画像データから必要な画像データだけを効率良く選択でき、更に画像形成媒体にオリジナルに忠実な画像を形成させることができる。
【図面の簡単な説明】
　第１図は本発明に係る一実施例のシステム構成図、
　第２図は本実施例のカラーリーダ１の詳細ブロツク図、
　第３図〜第６図は本実施例のカラーリーダ１のビデオインターフエイス部の切換え制御の例を模式的に表わした図、
　第７図は本実施例のデジタイザの外観図、
　第８図は本実施例のデジタイザによって指示されたアドレス情報を説明する図、
　第９図は本実施例のインターフエイス部より画像記憶装置への出力タイミングチヤート、
　第１０図（Ａ），（Ｂ）は本実施例の画像記憶装置の詳細ブロツク図、
　第１１図は本実施例の画像記憶装置のセレクタ部の詳細図、
　第１２図は本実施例の画像記憶装置のシステムコントローラ部とＦＩＦＯメモリとの詳細図、
　第１３図は本実施例の等倍処理時におけるシステムコントローラ部のＦＩＦＯメモリヘのデータ格納時のタイミングチヤート、
　第１４図は本実施例の変倍処理時におけるシステムコントローラ部のＦＩＦＯメモリヘのデータ格納時のタイミングチヤート、
　第１５図は本実施例の画像記憶装置のシステムコントローラ部と画像メモリ関連構成の詳細図、
　第１６図は本実施例の画像記憶装置の画像メモリ内の画像情報配置図、
　第１７図は本実施例の画像形成レイアウト図、
　第１８図は第１７図の画像形成レイアウトに従った画像形成処理のタイミングチヤート、
　第１９図は本実施例の他の画像記憶装置のメモリ内画像情報配置図、
　第２０図は第１９図に示す画像情報を任意にレイアウトした状態を示す図、
　第２１図は第２０図に示す“ｌ１”ラインにおける画像形成時のタイミングチヤート、
　第２２図は第２０図における“ｌ２”ラインにおける画像形成時のタイミングチヤート、
　第２３図は本実施例の画像形成プロセスのタイミングチヤート、
　第２４図は本実施例の操作手順の一例を示すフローチヤートである。
　図中、１…カラーリーダ、１Ａ…ビデオ機器、２…カラープリンタ、３…画像記憶装置、３１…ＳＶ録再生機、３２…モニタテレビ、３３…ホストコンピュータ、１１…原稿走査ユニツト、１２…ビデオ処理ユニツト、１３…コントロールユニット、１６…デジタイザ、２０…操作部、４０５０，４１４０，４２５２…ＦＩＦＯメモリ、５６…プリンタインターフエイス、１０１…ビデオインターフエイス、４２０…座標検知板、４２１…ポイントペン、４０００…デコーダ、４０１０，４０７０，４１３０，４１９０，４２１３，４２５０，４２５３…セレクタ、４０２０，４４３０…Ａ／Ｄ変換器、４０６０…画像メモリ、４０８０，４２１４，４２３０…カウンタ、４１１０，４２００，４２２０…ＬＵＴ、４１２０…マスキング／黒抽出／ＵＣＲ回路、４１５０…拡大・補間回路、４２１０…システムコントローラ、４２１２…ＲＡＭ、４２７０…リーダコントローラ、４３６０…ＣＰＵ、４３８０…ＤＭＡＣ、４４００…ボリユーム、４４１０…デイスプレイメモリ、４４４０…デイスプレイコントローラである。